【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
Ａ）少なくとも１種のビニルモノマーを、ラテックスの形態で存在しガラス転移温度
が０℃未満である少なくとも１種のゴムａ）の存在下で、少なくとも１種のペル
オキソ二硫酸塩化合物を開始剤として使用して、フリーラジカル乳化重合させ  
ることによって製造される、少なくとも１種のグラフトゴム、
Ｂ）少なくとも１種のビニルモノマーを、ラテックスの形態で存在しガラス転移温度
が０℃未満である少なくとも１種のゴムｂ）の存在下で、少なくとも１種のレド
ックス系を開始剤として使用して、フリーラジカル乳化重合させることによっ  
て製造される、少なくとも１種のグラフトゴム、
Ｃ）スチレンとアクリロニトリルを、重量比９０：１０〜５０：５０で、ゴムの存在
下で、溶液、バルク又は懸濁重合させることによって得ることができる少なくと
も１種のグラフトポリマーであって、スチレン及び／又はアクリロニトリルは、
全面的に又は部分的にα−メチルスチレン、メタクリル酸メチル又はＮ−フェニ
ルマレイミドによって置き換えることができ、ゴムは０〜５０重量％の追加のビ
ニルモノマーを共重合体の形態で含有し、そして使用されたグラフトモノマーの
使用されたゴムに対する重量比が５０：５０〜９７：３である、グラフトポリマ
ー
を含む組成物。
【請求項２】
ビニルモノマーから合成されていない熱可塑性樹脂として、芳香族ポリカーボネート、芳香族ポリエステルカーボネート、ポリエステル、ポリアミド又はそれらの混合物から選ばれる樹脂を含む、請求項１に記載の組成物。
【請求項３】
Ａ）少なくとも１種のビニルモノマーを、ラテックスの形態で存在しガラス転移温度
が０℃未満である少なくとも１種のゴムａ）の存在下で、少なくとも１種のペル
オキソ二硫酸塩化合物を開始剤として使用して、フリーラジカル乳化重合させる
ことによって製造される、少なくとも１種のグラフトゴム、
Ｂ）少なくとも１種のビニルモノマーを、ラテックスの形態で存在しガラス転移温度
が０℃未満である少なくとも１種のゴムｂ）の存在下で、少なくとも１種のレド
ックス系を開始剤として使用して、フリーラジカル乳化重合させることによって
製造される、少なくとも１種のグラフトゴム、
Ｃ）スチレンとアクリロニトリルを、重量比９０：１０〜５０：５０で、ゴムの存在
下で、溶液、バルク又は懸濁重合させることによって得ることができる少なくと
も１種のグラフトポリマーであって、スチレン及び／又はアクリロニトリルは、
全面的に又は部分的にα−メチルスチレン、メタクリル酸メチル又はＮ−フェニ
ルマレイミドによって置き換えることができ、ゴムは０〜５０重量％の追加のビ
ニルモノマーを共重合体の形態で含有し、そして使用されたグラフトモノマーの
使用されたゴムに対する重量比が５０：５０〜９７：３である、グラフトポリマ
ー、
及び、場合によっては、追加の構成成分を混合し配合することを特徴とする、
組成物の製造方法。
【手続補正２】
【補正対象書類名】明細書
【補正対象項目名】０１０３
【補正方法】変更
【補正の内容】
【０１０３】
【表２】
2005503465.tif 000001
本発明の好適な実施の態様は次のとおりである。
１．Ａ）少なくとも１種のビニルモノマーを、ラテックスの形態で存在しガラス転移温度
が０℃未満である少なくとも１種のゴムａ）の存在下で、少なくとも１種のペル
オキソ二硫酸塩化合物を開始剤として使用して、フリーラジカル乳化重合させ  
ることによって製造される、少なくとも１種のグラフトゴム、
Ｂ）少なくとも１種のビニルモノマーを、ラテックスの形態で存在しガラス転移温度
が０℃未満である少なくとも１種のゴムｂ）の存在下で、少なくとも１種のレド
ックス系を開始剤として使用して、フリーラジカル乳化重合させることによっ  
て製造される、少なくとも１種のグラフトゴム、
Ｃ）スチレンとアクリロニトリルを、重量比９０：１０〜５０：５０で、ゴムの存在
下で、溶液、バルク又は懸濁重合させることによって得ることができる少なくと
も１種のグラフトポリマーであって、スチレン及び／又はアクリロニトリルは、
全面的に又は部分的にα−メチルスチレン、メタクリル酸メチル又はＮ−フェニ
ルマレイミドによって置き換えることができ、ゴムは０〜５０重量％の追加のビ
ニルモノマーを共重合体の形態で含有し、そして使用されたグラフトモノマーの
使用されたゴムに対する重量比が５０：５０〜９７：３である、グラフトポリマ
ー
を含む組成物。
２．ゴムを含有しない、成分Ｄ）としての熱可塑性ビニルポリマー及び／又はビニルモノマーから合成されていない熱可塑性樹脂を更に含む、上記１に記載の組成物。
３．ビニルモノマーから合成されていない熱可塑性樹脂として、芳香族ポリカーボネート、芳香族ポリエステルカーボネート、ポリエステル、ポリアミド又はそれらの混合物から選ばれる樹脂を含む、上記２に記載の組成物。
４．１〜５０重量部のＡ）とＢ）及び５０〜９９重量部のＣ）を含む、上記１〜３のいずれかに記載の組成物。
５．２．５〜４５重量部のＡ）とＢ）及び５５〜９７．５重量部のＣ）を含む、上記１〜４のいずれかに記載の組成物。
６．Ａ）スチレンとアクリロニトリルを、重量比９０：１０〜５０：５０で、ラテックス
の形態で存在する少くとも１種のブタジエンゴムの存在下で、少なくとも１種のペ
ルオキソ二硫酸塩化合物を開始剤として使用して、フリーラジカル乳化重合させる
ことによって製造され、スチレン及び／又はアクリロニトリルは、全面的に又は部
分的にα−メチルスチレン、メタクリル酸メチル又はＮ−フェニルマレイミドに  
よって置き換えることができる、少なくとも１種のグラフトゴム、
Ｂ）スチレンとアクリロニトリルを、重量比９０：１０〜５０：５０で、ラテックスの
形態で存在する少くとも１種のブタジエンゴムの存在下で、少なくとも１種のレド
ックス系を開始剤として使用して、フリーラジカル乳化重合させることによって製
造され、スチレン及び／又はアクリロニトリルは、全面的に又は部分的にα−メチ
ルスチレン、メタクリル酸メチル又はＮ−フェニルマレイミドによって置き換える
ことができる、少なくとも１種のグラフトゴム、
Ｃ）スチレンとアクリロニトリルを、重量比９０：１０〜５０：５０で、ゴムの存在下
で、溶液、バルク又は懸濁重合させることによって得ることができる少なくとも１
種のグラフトポリマーであって、スチレン及び／又はアクリロニトリルは、全面的
に又は部分的にα−メチルスチレン、メタクリル酸メチル又はＮ−フェニルマレイ
ミドによって置き換えることができ、ゴムは、０〜５０重量％の共重合した他のビ
ニルモノマーを含有し、そして使用されたグラフトモノマーの使用されたゴムに対
する重量比が７０：３０〜９５：５である、グラフトポリマー、及び、場合によっ
ては、
Ｄ）スチレンとアクリロニトリルを、重量比９０：１０〜５０：５０で、重合させるこ
とによって得られる、少なくとも１種の熱可塑性でありゴムを含有しないポリマー
であって、スチレン及び／又はアクリロニトリルは、全面的に又は部分的にα−メ
チルスチレン、メタクリル酸メチル又はＮ−フェニルマレイミドによって置き換え
ることができる、ポリマー
を含む上記１に記載の組成物。
７．成分Ｂ）が、レドックス系を用いる開始反応によって製造され、酸化剤が、過酸化ジ−ｔ−ブチル、クメンヒドロペルオキシド、ジシクロヘキシルペルカーボネート、ｔ−ブチルヒドロペルオキシド、過酸化ｐ−メタン、Ｈ２Ｏ２又はそれらの混合物の群から選ばれ、そして、還元剤が、スルフィン酸の塩、亜硫酸の塩、亜二チオン酸ナトリウム、亜硫酸ナトリウム、次亜硫酸ナトリウム、亜硫酸水素ナトリウム、アスコルビン酸及びその塩、ホルムアルデヒドスルフォキシル酸ナトリウム、モノ−及びジ−ヒドロキシアセトン、砂糖、グルコース、デキストロース、鉄（ＩＩ）塩、スズ（ＩＩ）塩及びチタン（ＩＩ）塩又はそれらの混合物から成る群から選ばれる、上記１〜６のいずれかに記載の組成物。８．グラフトゴムＡ）及びＢ）が、それぞれ、１峰型の粒子サイズ分布を有するゴムラテックスを使用して製造される、上記１〜７のいずれかに記載の組成物。
９．グラフトゴムＡ）及びＢ）が、それぞれ、２峰型の粒子サイズ分布を有するゴムラテックスを使用して製造される、上記１〜７のいずれかに記載の組成物。
１０．グラフトゴムＡ）が、１峰型の粒子サイズ分布を有するゴムラテックスを使用して
製造され、そしてグラフトゴムＢ）が、２峰型の粒子サイズ分布を有するゴムラテックスを使用して製造される、上記１〜７のいずれかに記載の組成物。
１１．グラフトゴムＡ）が、１峰型の粒子サイズ分布を有するゴムラテックスを使用して製造され、そしてグラフトゴムＢ）が、３峰型の粒子サイズ分布を有するゴムラテックスを使用して製造される、上記１〜７のいずれかに記載の組成物。
１２．グラフトゴムＡ）が、２峰型の粒子サイズ分布を有するゴムラテックスを使用して製造され、そしてグラフトゴムＢ）が、３峰型の粒子サイズ分布を有するゴムラテックスを使用して製造される、上記１〜７のいずれかに記載の組成物。
１３．グラフトゴムＡ）が、２峰型の粒子サイズ分布を有するゴムラテックスを使用して製造され、そしてグラフトゴムＢ）が、１峰型の粒子サイズ分布を有するゴムラテックスを使用して製造される、上記１〜７のいずれかに記載の組成物。
１４．グラフトゴムＡ）及びＢ）が、平均粒子径（ｄ５０）が５０〜６００ｎｍであるゴムラテックスを使用して製造されることを特徴とする、上記１〜１３のいずれかに記載の組成物。
１５．グラフトゴムＡ）及びＢ）が、平均粒子径（ｄ５０）が１００〜５００ｎｍであるゴムラテックスを使用して製造されることを特徴とする、上記１〜１４のいずれかに記載の組成物。
１６．グラフトゴムＡ）を製造するために使用されるゴムラテックスの平均粒子径（ｄ５０）が、グラフトゴムＢ）を製造するために使用されるゴムラテックスの平均粒子径（ｄ５０）より小さいことを特徴とする、上記１４又は１５に記載の組成物。
１７．成分Ｃ）のゴムは、平均粒子径が１００ｎｍ〜１０，０００ｎｍである、上記１〜１６のいずれかに記載の組成物。
１８．成分Ｃ）のゴムは、平均粒子径が２００ｎｍ〜５，０００ｎｍである、上記１〜１７のいずれかに記載の組成物。
１９．成分Ｃ）のゴムは、平均粒子径が４００ｎｍ〜２，０００ｎｍである、上記１〜１８のいずれかに記載の組成物。
２０．Ａ）少なくとも１種のビニルモノマーを、ラテックスの形態で存在しガラス転移温
度が０℃未満である少なくとも１種のゴムａ）の存在下で、少なくとも１種のペ
ルオキソ二硫酸塩化合物を開始剤として使用して、フリーラジカル乳化重合させ
ることによって製造される、少なくとも１種のグラフトゴム、
Ｂ）少なくとも１種のビニルモノマーを、ラテックスの形態で存在しガラス転移温度
が０℃未満である少なくとも１種のゴムｂ）の存在下で、少なくとも１種のレド
ックス系を開始剤として使用して、フリーラジカル乳化重合させることによって
製造される、少なくとも１種のグラフトゴム、
Ｃ）スチレンとアクリロニトリルを、重量比９０：１０〜５０：５０で、ゴムの存在
下で、溶液、バルク又は懸濁重合させることによって得ることができる少なくと
も１種のグラフトポリマーであって、スチレン及び／又はアクリロニトリルは、
全面的に又は部分的にα−メチルスチレン、メタクリル酸メチル又はＮ−フェニ
ルマレイミドによって置き換えることができ、ゴムは０〜５０重量％の追加のビ
ニルモノマーを共重合体の形態で含有し、そして使用されたグラフトモノマーの
使用されたゴムに対する重量比が５０：５０〜９７：３である、グラフトポリマ
ー、
及び、場合によっては、追加の構成成分を混合し配合することを特徴とする、
組成物の製造方法。
２１．上記１〜１９のいずれかに記載の組成物の、成形品の製造のための使用。
２２．上記１〜１９のいずれかに記載の組成物から得ることができる成形品。